(57)【要約】      （修正有）【課題】テーブルとソファーとの間に設置して使用する、簡易持ち運び、簡易取り付け可能な幼児転落防止具を提供する。【解決手段】一端に設けられた二股状部材４及び他端に設けられた当接部材５を備え、一端及び他端の間で伸縮可能な一対の支持棒２ａ、２ｂと、四隅が前記一対の支持棒２ａ、２ｂの一端側及び他端側にそれぞれ接続された布部材３と、から幼児転落防止具１を構成する。支持棒２ａ、２ｂをテーブル７とソファー８に適切な間隔を持って互いに平行に固定し支持棒２ａ、２ｂに接続された布部材３がテーブル７とソファー８の間隙を覆うことにより、幼児９がソファー８から転落することを防止する。支持棒が伸縮可能であることによって、さまざまなファミリーレストランに取付可能である。【選択図】図３
2015139615.tif 000002
【特許請求の範囲】
【請求項１】
一端に設けられた二股状部材及び他端に設けられた当接部材を備え、前記一端及び他端の間で伸縮可能な一対の支持棒と、
四隅が前記一対の支持棒の一端側及び他端側にそれぞれ接続された布部材と、
を有し、
前記一対の支持棒を互いに平行になるようにテーブルとソファーとの間に張架し、前記二股状部材をテーブルの天板の縁部に当接し、前記当接部材をソファーの座面と背もたれとの境目に当接し、前記支持棒が下方に外れない状態になるように伸縮調節し、前記布部材がテーブルの天板の縁部とソファーの座面との間の間隙を覆う、幼児転落防止具。
【請求項２】
前記支持棒と前記布部材の側縁部との間に側部脱落防止部材が張架された、請求項１記載の幼児転落防止具。
【発明の詳細な説明】
【技術分野】
【０００１】
本発明は、ファミリーレストランなどのソファーで使用される、幼児の転落防止具に関する。
【背景技術】
【０００２】
従来、ファミリーレストランなどのソファーに幼児を座らせる、寝かせる等した場合、幼児がソファーから転落する危険性が存在した。そのため、母親は幼児を抱えながら食事を取る等しなければならず、食事その他の行動に支障が生じていた。
【０００３】
特許文献１によれば、乳幼児を、安全に為の付属品が付いていない大人用の椅子に座らせる場合に、乳幼児の動きや着座姿勢を規制して椅子からの落下を防ぐことができる、椅子用乳幼児落下防止具が開示されている。
【先行技術文献】
【特許文献】
【０００４】
【特許文献１】特開２００１-３４６６６２号公報
【発明の概要】
【発明が解決しようとする課題】
【０００５】
しかしながら、上記特許文献１の幼児用落下防止具は、大人用椅子に固定して使用するものであり、本発明のようにファミリーレストランなどのソファーに取り付けて使用することは想定されておらず、実際に、ソファーに取り付けて使用することもできない。  
本発明は、ファミリーレストランなどにおいて幼児がソファーから転落するのを防止する、幼児用転落防止用具を提供することを目的としている。
【課題を解決するための手段】
【０００６】
上記目的は、本発明によれば、一端に設けられた二股状部材及び他端に設けられた当接部材を備え、一端及び他端の間で伸縮可能な一対の支持棒と、四隅が一対の支持棒の一端側及び他端側にそれぞれ接続された布部材と、を有し、一対の支持棒を互いに平行になるようにテーブルとソファーとの間に張架し、二股状部材をテーブルの天板の縁部に当接し、当接部材をソファーの座面と背もたれとの境目に当接し、支持棒が下方に外れない状態になるように伸縮調節し、布部材がテーブルの天板の縁部とソファーの座面との間の間隙を覆う、幼児転落防止具により、達成される。なお、ここで、布部材とは、布の他、網、ネット、樹脂製シートなど、柔軟なシート状の部材を含む。
【０００７】
本発明の幼児転落防止具は、好ましくは、支持棒と布部材の側縁部との間に側部脱落防止部材が張架されている。ここで、側部脱落防止部材とは、網、ネット、布、紐、樹脂製シートなど、柔軟な部材を含む。
【発明の効果】
【０００８】
上記構成によれば、一対の支持棒が互いに平行になるようにテーブルとソファーとの間に張架され、二股状部材がテーブルの天板の縁部に当接し、当接部材がソファーの座面と背もたれとの境目に当接し、支持棒が下方に外れない状態になるよう伸縮調節され、布部材がテーブルの天板の縁部とソファーの座面との間の間隙を覆う。
【０００９】
そして、布部材がたるみながら、受け皿となり、テーブルとソファーとの隙間の転落可能性のあるスペースを塞ぐことで、幼児がソファーの座面から転がり落ちることを防ぐ。
【００１０】
このようにして、本発明によれば、幼児がソファーから転落することを防止する、幼児転落防止具を提供することができる。
【図面の簡単な説明】
【００１１】
【図１】本発明の第一実施形態の幼児転落防止具を示す斜視図である。
【図２】図１のうち支持棒を示す斜視図である。
【図３】図１の幼児転落防止具をテーブルとソファーとの間に取り付けた状態を示す斜視図である。
【図４】図３の状態を示す断面図である。
【図５】図４の状態を一部拡大して示す図である。
【図６】第二実施形態の幼児転落防止具を示す斜視図である。
【図７】図５の二股状部材の形をコの字型にした実施形態を示す図である。
【発明を実施するための形態】
【００１２】
図１から図５は本発明の幼児転落防止具の第一実施形態を示すものである。
図１は、幼児転落防止具１の斜視図である。図１に示すように、幼児転落防止具１は一端に設けられた二股状部材４及び他端に設けられた当接部材５を備え、一端及び他端の間で伸縮可能な一対の支持棒２と、四隅が前記一対の支持棒の一端側及び他端側にそれぞれ接続された布部材３と、から構成されている。  
【００１３】
図２は、支持棒２の斜視図である。支持棒２は、細いパイプ２１、太いパイプ２２、長さ調節機構２３、テーブル側のストッパー２４ａ、ソファー側のストッパー２４ｂによって構成される。細いパイプ２１及び太いパイプ２２は、例えば、アルミのように軽量かつ丈夫な筒状部材であり、細いパイプ２１の一部が太いパイプ２２に挿入されることによって、一つの支持棒２となり、長さ調節機構２３のネジ２３ａが締まることによって両パイプが接続、固定される。
【００１４】
支持棒２の長さを短くしたいときは、長さ調節機構２３のネジ２３ａを一旦緩め、細いパイプ２１を更に中に入れて全体の長さを短縮してから、長さ調節機構２３のネジを締める。長くしたいときには、長さ調節機構２３のネジ２３ａを一旦緩め、細パイプ２１を一部出して全体の長さを延長してから、長さ調節機構２３のネジ２３ａを締める。以上の操作によって、支持棒２を最適な長さに調節することができる。
【００１５】
支持棒２は、４５cm〜６５cm程度の範囲で伸縮可能である。これは、幼児転落防止具１の取り付け対象であるファミリーレストラン等のテーブルの天板の縁部と、ソファーの座面と背もたれとの境目との距離が一定ではないことによる。支持棒２が伸縮することによって、さまざまなファミリーレストラン等に適用可能となる。
【００１６】
図２に示すように、支持棒２は、テーブル側である一端に設けられた二股状部材４と、ソファー側である他端に設けられた当接部材５と備えている。二股状部材４は、L字状の直角な金属部材であるＬ字金具４１とその内側に固着されたゴムなどの弾性体であるクッション部材４２とによって構成されている。Ｌ字金具４１は、曲がり部分の外側が支持棒２の一端側に接続されている。
【００１７】
図４、図５にθ３で示す二股状部材４の角部の角度は９０°である。これにより、クッション部材４２がテーブル天板の下縁部に密着する。
【００１８】
図４、図５で示すように、幼児転落防止具１を設置した状態において支持棒２とソファー８の座面とはθ５の角度をなしている。θ５は、各ファミリーレストラン等のテーブルとソファーの配置により決定される数値である。一般的なファミリーレストラン等において角度θ５は２７°から３５°の範囲にあり、その平均値は３１°であるため、θ５＝３１°とすることができる。θ５とθ１〜θ４とは、θ１＝９０＋θ５、θ２＝１８０−θ５、θ４＝９０−θ５、という関係にあるから、θ１＝１２１°、θ２＝１４９°、θ４＝５９°、θ５＝３１°となる。これらの角度（θ１、θ２）をもって、二股状部材４を支持棒２の一端に設けることにより、様々なファミリーレストラン等においてクッション部材４２がテーブル天板の下縁部に密着しやすい。
【００１９】
二股状部材４の上端４２ａから当接部材５までの長さは、テーブルの天板の下縁７ａから当接部材５までの距離よりも長い。仮に、二股状部材４の上端４２ａから当接部材５までの長さがテーブルの天板の下縁７ａから当接部材５までの距離よりも短い場合には二股状部材４が下方へ倒れてしまう。ソファーの弾性も考慮し、二股状部材４の上端４２ａから当接部材５までの長さが、テーブルの天板の下縁７ａから当接部材５までの距離よりもある程度長くなるように、二股状部材４の大きさが設定される。
【００２０】
当接部材５は、ゴムなどの弾性のある素材で構成されており、形は卵形である。この当接部材５がソファー８の座面と背もたれとの境目に当接したときに、当接部分に摩擦が働くことにより、支持棒２がずれてしまうことを防ぐ。
【００２１】
布部材３は、長方形の布地その他生地からなる部材である。布部材３の横幅は、幼児９を寝かせたときに幼児９がその中に収まるために最適な長さであり、例えば、１ｍである。布部材３の縦幅は、支持棒２に布部材３が取り付けられた場合に、布部材３の長さが余ることで布部材３がたるみ、これが幼児９の受け皿となるよう、最適な長さであり、例えば、８０cｍである。
布部材３は、四隅に穴３１，穴３２，穴３３，穴３４を有する。穴３１及び穴３２には手前側の支持棒２ａの一端側及び他端側が挿通され、穴３３及び穴３４には奥側の支持棒２ｂの一端側及び他端側が挿通され、布部材３が支持棒２に接続される。各支持棒２には、ストッパー２４ａ及び２４ｂが、穴３１及び穴３２（穴３３及び穴３４）の内側に設けられ、布部材３の四隅が支持棒２の内側方向に移動してしまうことを防ぐ。
【００２２】
図３は、幼児転落防止具１をテーブルとソファーに取り付けた状態を示す斜視図である。幼児転落防止具１を取り付けるテーブル７とソファー８は、双方とも床に固定され、容易には動かせないものであることが望ましい。可動式のテーブル等で幼児転落防止具１を使用すると、幼児転落防止具１が不安定となってしまう。
【００２３】
以下、幼児用転落防止具１の取り付け方を説明する。まず、片方の支持棒２ａのソファー８側の一端に設けられた当接部材５をソファー８の座面と背もたれとの境目に押し込むようにして固定する。そして、長さ調節機構２３のネジ２３ａを緩め、支持棒２の長さを調節しながら、支持棒２ａのテーブル７側の一端に接続された二股状部材４をテーブル７の天板の下縁部に密着させ、支持棒２を可能な限り延ばして、長さ調節機構２３のネジ２３ａを締める。もう一本の支持棒２ｂについても、支持棒２ａに対して平行に、かつ適切な間隔を維持した状態で、同様に取り付ける。各支持棒２を上から押してみて、はずれない程度に固定された状態で、布部材３をテーブル７の天板とソファー８との間の隙間を塞ぐようにたるませた状態にする。以上により、幼児転落防止具１の取り付けが完了する。
【００２４】
幼児９は、図３のように本発明の中に配置する。幼児９がもし寝返りなどを打ってソファー８とテーブル７との間隙に転落したとしても、２本の支持棒２が突っ張って、それに接続した布部材３が受け皿となり、幼児９を転落から救う。
【００２５】
本発明である幼児転落防止具１は、上述したように、簡易に取り付け可能である。また、幼児転落防止具１を取り付けていない時は、２本の支持棒２をまとめ、その周りに布部材３を巻き付けるなどして全体をコンパクトなサイズとすることができ、簡易に持ち運び可能である。
【００２６】
図６は、本発明の第二実施形態を示し、側部脱落防止部材６を、幼児転落防止具１の両側面である、支持棒２と布部材３の側縁部との間に取り付けた状態を示す斜視図である。側部脱落防止部材６は、支持棒２と布部材３の側縁部との間に互いに平行に張架された複数の紐である。側部脱落防止部材６を張架することで、幼児転落防止具１の側面が覆われ、幼児転落防止具１の側面からの幼児９の転落を防止することができる。
【産業上の利用可能性】
【００２７】
本発明の幼児転落防止具１に使用される素材や形状は、本発明の効果を奏する限り、上記に限定されない。例えば、布部材３はネットや樹脂製シートなどでもよい。側部脱落防止部材６は、支持棒２と布部材３の側縁部との間に張架された布やネットであってもよい。支持棒２の伸縮機構は他の伸縮機構であってもよい。支持棒２はプラスチック製などでもよい。θ３で示す二股状部材４の角部の角度は鋭角や鈍角でもよい。また、図７に示すように、二股状部材は、コの字型でテーブルの天板の下縁部から上縁部を覆うような形であってもよい。また、本発明の幼児転落防止具１は、ファミリーレストラン等のソファーだけでなく、例えば、自宅のソファーや椅子に固定して使用することができる。
【符号の説明】
【００２８】
１  幼児転落防止具
２  支持棒
２ａ  手前側の支持棒
２ｂ  奥側の支持棒
３  布部材
４  二股状部材
５  当接部材
６  側部脱落防止部材
７  テーブル
７ａ  テーブルの天板の下縁部
８  ソファー
９  幼児
２１  細いパイプ
２２  太いパイプ
２３  長さ調節機構
２４a  ストッパー（テーブル側）
２４b  ストッパー（ソファー側）
３１  穴（手前側、テーブル側）
３２  穴（手前側、ソファー側）
３３  穴（奥側、テーブル側）
３４  穴（奥側、ソファー側）
４１  二股状部材の金属部分
４２  二股状部材の弾性部分
４２ａ  二股状部材の弾性部分とテーブルとの接触部分の上端
【図１】
2015139615.tif 000003
【図２】
2015139615.tif 000004
【図３】
2015139615.tif 000005
【図４】
2015139615.tif 000006
【図５】
2015139615.tif 000007
【図６】
2015139615.tif 000008
【図７】
2015139615.tif 000009